(57)【要約】【課題】意匠性を向上することができるシート包装材およびそれを用いる包装体を提供する。【解決手段】容器５０と、容器５０を包装するシート包装材１０と、を備える包装体１００であって、シート包装材１０は、略中央部に容器５０が露出する窓２１が形成されるパネル２０と、容器５０を収納すると共にパネル２０の背面の略中央部に設けられる箱体３０と、パネル２０が自立するようにパネル２０を支持する支持部４０と、を有し、箱体３０に収納された容器５０はパネル２０の中央部の窓２１からはみ出すように露出しており、箱体３０の底面は、開口され、容器５０の底面５５Ｂが支持部４０によって支持されて容器５０が所定の高さ位置に保持されている。【選択図】図３
2020164169.tif 000002
【特許請求の範囲】
【請求項１】
商品と、前記商品を包装するシート包装材と、を備える包装体であって、
前記シート包装材は、略中央部に前記商品が露出する窓が形成されるパネルと、前記商品を収納すると共に前記パネルの背面の略中央部に設けられる収納部と、前記パネルが自立するように前記パネルを支持する支持部と、を有し、
前記収納部に収納された前記商品は、前記パネルの略中央部の前記窓からはみ出すように露出しており、
前記収納部の底面は、開口され、
前記商品の底面が前記支持部によって支持されて前記商品が所定の高さ位置に保持されている、包装体。
【請求項２】
前記商品の底面には、所定方向に沿って係合部が形成され、
前記支持部の一部には前記係合部に係合する回り止め部が形成されており、
前記商品の前記係合部と前記支持部の前記回り止め部が係合して、前記商品が前記収納部内で回転しない状態にある、請求項１に記載の包装体。
【請求項３】
商品を包装するシート包装材であって、
略中央部に前記商品が露出する窓が形成されるパネルと、前記商品を収納する共に前記パネルの背面の略中央部に設けられる収納部と、前記パネルが自立するように前記パネルを支持する支持部と、を有し、
前記収納部に収納される前記商品が前記パネルの略中央部の前記窓からはみ出すように露出した状態となり、
前記収納部の底面は、開口され、
前記商品の底面が前記支持部によって支持されて前記商品が所定の高さ位置に保持される、シート包装材。
【請求項４】
前記支持部の一部には、前記商品の底面の所定方向に沿って形成される係合部に係合する回り止め部が形成されている、請求項３に記載のシート包装材。
【発明の詳細な説明】
【技術分野】
【０００１】
本発明は、シート包装材およびそれを用いる包装体に関する。
【背景技術】
【０００２】
従来、厚紙等で立体的に構成されるシート包装材は、公知である。シート包装材は、例えば商品を収納する箱体を備える。特許文献１には、商品を収納する収納部を備えるシート包装材が開示される。
【先行技術文献】
【特許文献】
【０００３】
【特許文献１】特開２０１５−１０７８２６号公報
【発明の概要】
【発明が解決しようとする課題】
【０００４】
商品を収納したシート包装材（以下、包装体）は、商品棚に陳列される。包装体が商品棚に陳列されるときには、意匠性が重要となる。意匠性には、包装体において商品が目立つように見せること、包装体において商品の名称、商品の使い方、商品の効能等の表示を目立つように見せること、が含まれる。
【０００５】
特許文献１に記載の包装体のように、従来の包装体では、例えば商品を収納する収納部が下側等に偏って配置され、商品が目立つように見せられない。また、従来の包装体では、例えば商品を収納する収納部がパネルの正面に設けられ、パネルの正面がフラットでないため、商品の名称、商品の使い方、商品の効能等の表示をパネルの正面に目立つように見せられない。つまり、従来の包装体では、上述したような意匠性が良好ではなかった。
【０００６】
本発明の目的は、意匠性を向上することができるシート包装材およびそれを用いる包装体を提供することである。
【課題を解決するための手段】
【０００７】
本発明は、商品と、商品を包装するシート包装材と、を備える包装体であって、シート包装材は、略中央部に商品が露出する窓が形成されるパネルと、商品を収納すると共にパネルの背面の略中央部に設けられる収納部と、パネルが自立するようにパネルを支持する支持部と、を有し、収納部に収納された商品はパネルの中央部の窓からはみ出すように露出しており、収納部の底面は、開口され、商品の底面が支持部によって支持されて商品が所定の高さ位置に保持されていることを特徴とする。
【０００８】
この構成によれば、商品を目立つように見せることができ、商品の名称、商品の使い方、商品の効能等をフラットなパネルの正面に表示することができ、意匠性を向上することができる。また、商品をパネルの中央に配置するように支持することができる。さらに、シート包装材が自立することによって、包装体を立てて陳列することができる。
【０００９】
本発明に係る包装体において、商品の底面には、所定方向に沿って係合部が形成され、支持部の一部には係合部に係合する回り止め部が形成されており、商品の係合部と支持部の回り止め部が係合して、商品が収納部内で回転しない状態としてもよい。
【００１０】
この構成によれば、商品が収納部内で回転することを防止することができるため、シート包装材の窓から常に容器の商品名等が記載される表記載部が覗くようにすることができる。
【００１１】
本発明に係る包装体において、商品は、樹脂製であって、係合部は、所定方向に沿って形成されるパーティングラインであるとしてもよい。
【００１２】
この構成によれば、パーティングラインが商品の所定方向に沿って形成されるため、パーティングラインを基準として商品の表記載部の位置を決定することによって、パーティングラインの位置と表記載部の位置とが常に一定となる。そのため、パーティングラインの位置と表記載部の位置との関係に対し、パネルの窓の向きに対する支持部の位置を合わせることによって、常にシート包装材の窓から容器の商品名等が記載される表記載部が覗くようにすることができる。
【発明の効果】
【００１３】
本発明に係るシート包装材およびそれを用いる包装体によれば、意匠性を向上することができる。
【図面の簡単な説明】
【００１４】
【図１】実施形態１の容器の構成を示す正面図である。
【図２】実施形態１の容器の構成を示す底面図である。
【図３】実施形態１の包装体の構成を示す正面図である。
【図４】実施形態１の包装体の構成を示す背面図である。
【図５】実施形態１の包装体の構成を示す底面図である。
【図６】実施形態１の包装体の構成を示す斜視図である。
【図７】実施形態１のシート包装材の展開図である。
【図８】実施形態１の折り畳まれたシート包装材の平面図である。
【図９】実施形態２の容器の構成を示す斜視図である。
【図１０】実施形態２の包装体の構成を示す正面図である。
【図１１】実施形態２の包装体の構成を示す背面図である。
【図１２】実施形態２の包装体の構成を示す底面図である。
【図１３】実施形態２のシート包装材の展開図である。
【図１４】実施形態２の折り畳まれたシート包装材の平面図である。
【発明を実施するための形態】
【００１５】
以下に、本発明に係る実施の形態について添付図面を参照しながら詳細に説明する。この説明において、具体的な形状、材料、数値、方向等は、本発明の理解を容易にするための例示であって、用途、目的、仕様等にあわせて適宜変更することができる。また、以下において複数の実施形態や変形例などが含まれる場合、それらの特徴部分を適宜に組み合わせて用いることは当初から想定される。
【００１６】
＜実施形態１＞
図１および図２を用いて、容器５０の構成について説明する。図１は容器５０の構成を示す正面図である。図２は、容器５０の構成を示す底面図である。
【００１７】
以下では、容器５０について、略円柱形状の軸方向を高さ方向とする。高さ方向に垂直な平面を水平面とする。高さ方向において、蓋５６が設けられる側を上側とする。商品名等が記載される表記載部５５Ｆを奥行き方向の前側とする。水平面において奥行き方向と直交する方向を幅方向とする。
【００１８】
実施形態１の包装体１００は、商品としての容器５０をシート包装材１０（図３参照）によって包装したものである。実施形態１の容器５０は、例えば化粧品としての制汗剤等が充填されるが、これに限定されない。実施形態１の容器５０は、先端部球体がボールペンの先のように回転し手を汚さずに塗布することができるロールオンであるが、これに限定されない。例えばスプレーまたはチューブ式であってもよい。実施形態１の容器５０は、例えば樹脂製等とするが、これに限定されない。実施形態１の容器５０は、例えば射出成形等によって製造されるが、これに限定されない。
【００１９】
実施形態１の容器５０は、例えば略円柱形状等とするがこれに限定されない。より詳細には、容器５０の上部は、半球形状に形成される。容器５０の下部は、半球形状に形成される。容器５０の底部５５Ｂは、上方に凹形状となる略ドーム形状に形成される。
【００２０】
容器５０は、本体５５と、蓋５６と、を備える。本体５５は、表記載部５５Ｆと、裏記載部５５Ｒと、を備える。表記載部５５Ｆは、本体５５の前側に位置する。表記載部５５Ｆには、商品名等が記載される。裏記載部５５Ｒは、本体５５の後側に位置する。裏記載部５５Ｒには、商品の使い方および商品の製造者名等が記載される。
【００２１】
本体５５の底部５５Ｂには、係合部としてのパーティングラインＰが形成される。パーティングラインＰとは、本体５５の設計上では意図しない、射出成型の雄型と雌型の合わせ面に形成される出っ張りである。パーティングラインＰは、幅方向と平行に形成される。
【００２２】
容器５０では、パーティングラインＰが容器５０の所定位置かつ所定方向に沿って形成されるため、パーティングラインＰを基準として、本体５５の表記載部５５Ｆの位置および裏記載部５５Ｒの位置が決定されてもよい。
【００２３】
なお、実施形態１の容器５０は、本体５５の底部５５ＢにパーティングラインＰが形成されるが、これに限定されない。例えば、容器５０は、パーティングラインＰが形成されないガラス製または金属製であってもよい。また、容器５０は、パーティングラインＰが形成されない樹脂製であってもよい。
【００２４】
図３乃至図６を用いて、シート包装材１０の構成について説明する。図３は、包装体１００の構成を示す正面図である。図４は、包装体１００の構成を示す背面図である。図５は、包装体１００の構成を示す底面図である。図６は、包装体１００の構成を示す斜視図である。
【００２５】
以下では、シート包装材１０について、パネル２０の長手方向を高さ方向とする。パネル２０の短手方向を幅方向とする。高さ方向および幅方向と直行する方向を奥行き方向とする。高さ方向において、孔２２が形成される側を上側とする。奥行き方向において、箱体３０が設けられる側を後側（背面側）とする。幅方向において、パネル２０の前側（正面側）に向かって右側を右側とする。
【００２６】
包装体１００は、上述した容器５０をシート包装材１０によって包装したものである。実施形態１のシート包装材１０は、厚紙から構成されるが、これに限定されない。例えば、プラスチックまたは合成紙（合成樹脂を主原料とする紙状のもの）から構成されてもよい。また、例えば、合成樹脂（ポリプロピレンまたはポリエチレンテレフタレート等）のクリアケース素材から構成されてもよい。
【００２７】
シート包装材１０は、容器５０を包装するものである。シート包装材１０の幅方向の左右側、奥行き方向の前後側および高さ方向の上下側と、容器５０の幅方向の左右側、奥行き方向の前後側および高さ方向の上下側とが略一致するように、容器５０がシート包装材１０に収納される。シート包装材１０は、パネル２０と、収納部としての箱体３０と、支持部４０と、を備える。パネル２０、箱体３０および支持部４０は、一枚の厚紙から作成される。
【００２８】
パネル２０は、平板形状に形成される。パネル２０は、奥行き方向から見て長方形状に形成される。パネル２０の幅方向の略中央部かつ高さ方向の中央部の若干下側には、窓２１が形成される。パネル２０の前面には、商品の名称、商品の使い方、商品の効能等が表示される。
【００２９】
窓２１は、容器５０が露出する開口部である。窓２１は、高さ方向を長手方向とする略長円形状に形成される。窓２１では、高さ方向から見て、容器５０の前側の略９０°の角度分（略１／４）がパネル２０からはみ出る。パネル２０の上端部には、フックに吊り下げて陳列するときのフックが貫通する孔２２が形成される。
【００３０】
収納部としての箱体３０は、容器５０が収納される。箱体３０は、パネル２０の背面において、幅方向の略中央部かつ高さ方向の略中央部の若干下側に設けられる。箱体３０は、略直方体形状に構成される。箱体３０の底面は、開口される。箱体３０は、天井面部３１と、背面部３２と、左側面部３３と、右側面部３４と、を備える。天井面部３１は、箱体３０の蓋としての機能を有する。容器５０は、天井面部３１を開口することによって、箱体３０に収納される。
【００３１】
箱体３０では、容器５０の表記載部５５Ｆの幅方向の中央部が窓２１から覗くように、容器５０が収納される。このような構成とすることによって、容器５０の表記載部５５Ｆが包装体１００の正面から視認できる。
【００３２】
支持部４０は、容器５０を支持すると共にパネル２０が自立するようにパネル２０を支持する。ここで、「自立」とは、他から支えられなくても立っていることをいう。支持部４０は、高さ方向の下側から見て、容器５０における底部５５Ｂの奥行き方向の中央部にわたって構成される。支持部４０は、箱体３０の下側に設けられる。支持部４０は、左支持部４１と、底支持部４２と、右支持部４３と、を備える。
【００３３】
左支持部４１は、シート状に形成される。左支持部４１は、箱体３０の左側面部３３が高さ方向の下方に向かってそのまま延長するように形成される。左支持部４１の奥行き方向の略中央部には、底支持部４２が設けられる。
【００３４】
底支持部４２は、シート状に形成される。底支持部４２は、本体４２Ａと、回り止め部４２Ｂと、を備える。本体４２Ａは、奥行き方向から見て、略長方形状に形成される。
【００３５】
回り止め部４２Ｂは、奥行き方向から見て、例えば円弧状の突出部に形成される。回り止め部４２Ｂは、本体４２Ａの高さ方向の上端かつ幅方向の略中央部に形成される。回り止め部４２Ｂの円弧状の上端部は、容器５０の底部５５Ｂに係合するように形成される。同時に、回り止め部４２Ｂは、容器５０の本体５５のパーティングラインＰに係合する。回り止め部４２ＢがパーティングラインＰに係合することによって、容器５０は箱体３０内で回転することがない。
【００３６】
右支持部４３は、シート状に形成される。右支持部４３は、箱体３０の右側面部３４の奥行き方向の前半分が高さ方向の下方に向かってそのまま延長するように形成される。右支持部４３の奥行き方向の後端部には、底支持部４２が設けられる。
【００３７】
図７を用いて、展開されたシート包装材１０の構成について説明する。図７は、展開されたシート包装材１０の構成を示す展開図である。
【００３８】
展開されたシート包装材１０は、シート包装材１０を１枚のシート状に展開したものである。シート包装材１０は、上述したように、パネル２０と、箱体３０と、支持部４０と、を備える（図３乃至図６参照）。
【００３９】
以下では、シート包装材１０と同様に、展開されたシート包装材１０のパネル２０の本体２０Ａの長手方向を高さ方向とする。本体２０Ａの短手方向を幅方向とする。高さ方向および幅方向と直行する方向を奥行き方向とする。高さ方向において、孔２２が形成される側を上側とする。幅方向においては、紙面（パネル２０の背面側）に向かって右側を右側とする。奥行き方向において、箱体３０が設けられる側を後側とする（図３乃至図６参照）。
【００４０】
パネル２０は、展開されたシート包装材１０において、本体２０Ａと、裏面部２０Ｂ，２０Ｃと、から組み立てられる。より詳細には、パネル２０は、幅方向の右側の裏面部２０Ｃの右端部を本体２０Ａの左端部に合わせ、本体２０Ａの背面に２０Ｂ，２０Ｃを貼り合わせることによって組み立てられる。本体２０Ａの略中央部の縁部２０Ｄ，２０Ｄは、奥行き方向の後側すなわち箱体３０の内部に折り曲げられる。
【００４１】
箱体３０は、展開されたシート包装材１０において、天井面部３１と、背面部３２と、左側面部３３と、右側面部３４と、から組み立てられる。支持部４０は、展開されたシート包装材１０において、左支持部４１と、底支持部４２と、右支持部４３と、から組み立てられる。
【００４２】
図８を用いて、折り畳まれたシート包装材１０の構成について説明する。図８は、折り畳まれたシート包装材１０の構成を示す平面図である。
【００４３】
以下では、シート包装材１０と同様に、折り畳まれたシート包装材１０のパネル２０の長手方向を高さ方向とする。パネル２０の短手方向を幅方向とする。幅方向においては、紙面（パネル２０の背面側）に向かって右側を右側とする。
【００４４】
折り畳まれたシート包装材１０は、例えば、シート包装材１０を容器５０の製造業者に納品するときの状態である。箱体３０は、天井面部３１を解放し、左側面部３３および右側面部３４を幅方向の右側に倒すことによって折り畳まれる。支持部４０は、左支持部４１および右支持部４３幅方向の右側に倒すことによって折り畳まれる。
【００４５】
シート包装材１０および包装体１００の効果について説明する。シート包装材１０および包装体１００によれば、意匠性を向上することができる。すなわち、シート包装材１０および包装体１００では、容器５０を収納する箱体３０を略中央部に設け、パネル２０の略中央部に窓２１を形成することによって、容器５０を商品として目立つように見せることができる。
【００４６】
また、シート包装材１０および包装体１００では、容器５０を収納する箱体３０をパネル２０の背面に設け、パネル２０の正面をフラットにすることによって、商品の名称、商品の使い方、商品の効能等をフラットなパネル２０の正面に表示することができる。商品の名称、商品の使い方、商品の効能等をパネル２０の正面に表示することによって、商品の名称、商品の使い方、商品の効能等の表示を目立つように見せることができる。
【００４７】
シート包装材１０および包装体１００によれば、シート包装材１０が自立することによって、包装体１００を立てて陳列することができる。
【００４８】
シート包装材１０によれば、支持部４０に容器５０の支持とパネル２０の自立の支持との機能を持たせることで部材を削減することができる。
【００４９】
シート包装材１０および包装体１００によれば、容器５０が箱体３０内で回転することを防止することができる。そのため、シート包装材１０および包装体１００によれば、シート包装材１０の窓２１から常に容器５０の表記載部５５Ｆが覗く。
【００５０】
＜実施形態２＞
図９を用いて、容器１５０の構成について説明する。図９は容器１５０の構成を示す斜視図である。
【００５１】
以下では、容器１５０について、略円柱形状の蓋１５６の軸方向を高さ方向とする。蓋１５６が設けられる側を下側とする。高さ方向に垂直な平面を水平面とする。商品名等が記載される表記載部１５５Ｆを奥行き方向の前側とする。水平面において奥行き方向と直交する方向を幅方向とする。
【００５２】
実施形態２の包装体２００は、商品としての容器１５０をシート包装材１１０（図１０参照）によって包装したものである。実施形態２の容器１５０は、例えば化粧品としての制汗剤等が充填されるが、これに限定されない。実施形態２の容器１５０は、例えばチューブ式とされるがこれに限定されない。実施形態２の容器１５０は、本体１５５が例えばビニール製等、蓋１５６は樹脂製等とするが、これに限定されない。
【００５３】
実施形態２の容器１５０は、本体１５５と、蓋１５６と、を備える。本体１５５は、例えばチューブとして形成される。蓋１５６は、例えば略円柱形状等として形成されるがこれに限定されない。本体１５５は、表記載部１５５Ｆと、裏記載部と、を備える。表記載部１５５Ｆは、本体１５５の前側に位置する。表記載部１５５Ｆには、商品名等が記載される。裏記載部は、本体１５５の後側に位置する。裏記載部には、商品の使い方および商品の製造者名等が記載される。
【００５４】
図１０乃至図１２を用いて、シート包装材１１０の構成について説明する。図１０は、包装体２００の構成を示す正面図である。図１１は、包装体２００の構成を示す背面図である。図１２は、包装体２００の構成を示す底面図である。
【００５５】
以下では、シート包装材１１０について、パネル１２０の長手方向を高さ方向とする。パネル１２０の短手方向を幅方向とする。高さ方向および幅方向と直行する方向を奥行き方向とする。高さ方向において、孔１２２が形成される側を上側とする。奥行き方向において、収納体１３０が設けられる側を後側（背面側）とする。幅方向において、パネル１２０の前側（正面側）に向かって右側を右側とする。
【００５６】
包装体２００は、上述した容器１５０をシート包装材１１０によって包装したものである。実施形態２のシート包装材１１０は、厚紙から構成されるが、これに限定されない。例えば、プラスチックまたは合成紙（合成樹脂を主原料とする紙状のもの）から構成されてもよい。また、例えば、合成樹脂（ポリプロピレンまたはポリエチレンテレフタレート等）のクリアケース素材から構成されてもよい。
【００５７】
シート包装材１１０は、容器１５０を包装するものである。シート包装材１１０の幅方向の左右側、奥行き方向の前後側および高さ方向の上下側と、容器１５０の幅方向の左右側、奥行き方向の前後側および高さ方向の上下側とが略一致するように、容器１５０がシート包装材１１０に収納される。シート包装材１１０は、パネル１２０と、収納部としての収納体１３０と、を備える。パネル１２０、収納体１３０および支持部１３３は、一枚の厚紙から作成される。
【００５８】
パネル１２０は、平板形状に形成される。パネル１２０は、奥行き方向から見て長方形状に形成される。パネル１２０の幅方向の略中央部かつ高さ方向の中央部の若干下側には、窓１２１が形成される。パネル１２０の前面には、商品の名称、商品の使い方、商品の効能等が表示される。
【００５９】
窓１２１は、容器１５０が露出する開口部である。窓１２１は、高さ方向を長手方向とする略長円形状に形成される。窓１２１では、高さ方向から見て、容器１５０の前側の略９０°の角度分（略１／４）がパネル１２０からはみ出る。パネル１２０の上端部には、フックに吊り下げて陳列するときのフックが貫通する孔１２２が形成される。
【００６０】
収納部としての収納体１３０は、容器１５０が収納される。収納体１３０は、パネル１２０の背面において、幅方向の略中央部に設けられる。収納体１３０は、底部が開口した袋状に構成される。収納体１３０の底面は、開口される。収納体１３０は、正面部１３１と、背面部１３２と、支持部１３３と、を備える。支持部１３３は、収納体１３０の蓋としての機能を有する。容器１５０は、支持部１３３を解放することによって、収納体１３０に収納される。
【００６１】
収納体１３０では、容器１５０の表記載部１５５Ｆの幅方向の中央部が窓１２１から覗くように、容器１５０が収納される。このような構成とすることによって、容器１５０の表記載部１５５Ｆが包装体２００の正面から視認できる。
【００６２】
支持部１３３は、容器１５０を支持すると共にパネル１２０が自立するようにパネル１２０を支持する。支持部１３３は、幅方向から見て略逆Ｖ字形状に形成され、上端部において容器１５０の蓋１５６の下端部を支持する。
【００６３】
支持部１３３は、第１支持部１３４と、第２支持部１３５と、を備える。第１支持部１３４は、パネル１２０の下端部に設けられ、略逆Ｖ字形状に形成される。第１支持部１３４の先端側には差し込み部１３４Ａが形成される。第２支持部１３５は、収納体１３０の背面部１３２に設けられ、略中央に差し込み穴１３５Ａが形成される。第１支持部１３４の差し込み部１３４Ａを第２支持部１３５の差し込み穴１３５Ａに差し込むことによって、略逆Ｖ字形状の支持部１３３が構成される。
【００６４】
図１３を用いて、展開されたシート包装材１１０の構成について説明する。図１３は、展開されたシート包装材１１０の構成を示す展開図である。
【００６５】
展開されたシート包装材１１０は、シート包装材１１０を１枚のシート状に展開したものである。シート包装材１１０は、上述したように、パネル１２０と、収納体１３０と、を備える（図１０乃至図１２参照）。
【００６６】
以下では、シート包装材１１０と同様に、展開されたシート包装材１１０のパネル１２０の長手方向を高さ方向とする。本体１２０Ａの短手方向を幅方向とする。高さ方向および幅方向と直行する方向を奥行き方向とする。高さ方向において、第２支持部１３５が設けられる側を下側とする。幅方向においては、紙面（パネル１２０の背面側）に向かって右側を右側とする。奥行き方向において、収納体１３０が設けられる側を後側とする。
【００６７】
収納体１３０は、展開されたシート包装材１１０において、正面部１３１と、背面部１３２と、から組み立てられる。支持部１３３（図１２参照）は、展開されたシート包装材１１０において、第１支持部１３４と、第２支持部１３５と、から組み立てられる。
【００６８】
図１４を用いて、折り畳まれたシート包装材１１０の構成について説明する。図１４は、折り畳まれたシート包装材１１０の構成を示す平面図である。
【００６９】
以下では、シート包装材１１０と同様に、折り畳まれたシート包装材１１０のパネル１２０の長手方向を高さ方向とする。パネル１２０の短手方向を幅方向とする。
【００７０】
折り畳まれたシート包装材１１０は、例えば、シート包装材１１０を容器１５０の製造業者に納品するときの状態である。収納体１３０は、支持部１３３を解放して、第１支持部１３４および第２支持部１３５を上側へ延出させると共に正面部１３１および背面部１３２を奥行き方向に重ねることによって折り畳まれる。
【００７１】
シート包装材１１０および包装体２００の効果について説明する。シート包装材１１０および包装体２００によれば、意匠性を向上することができる。すなわち、シート包装材１１０および包装体２００では、容器１５０を収納する収納体１３０を略中央部に設け、パネル１２０の略中央部に窓１２１を形成することによって、容器１５０を商品として目立つように見せることができる。
【００７２】
また、シート包装材１１０および包装体２００では、容器１５０を収納する収納体１３０をパネル１２０の背面に設け、パネル１２０の正面をフラットにすることによって、商品の名称、商品の使い方、商品の効能等をフラットなパネル１２０の正面に表示することができる。商品の名称、商品の使い方、商品の効能等をパネル１２０の正面に表示することによって、商品の名称、商品の使い方、商品の効能等の表示を目立つように見せることができる。
【００７３】
シート包装材１１０および包装体２００によれば、シート包装材１１０が自立することによって、包装体２００を立てて陳列することができる。
【００７４】
シート包装材１１０によれば、支持部１３３に容器１５０の支持と、パネル１２０の自立の支持と、収納体１３０の蓋としての機能と、を持たせることで部材を削減することができる。
【符号の説明】
【００７５】
１０，１１０  シート包装材、２０，１２０  パネル、２１，１２１  窓、３０  箱体（収納部）、４０，１３３  支持部、４２Ｂ  回り止め部、５０，１５０  容器（商品）、１００，２００  包装体、１３０  収納体（収納部）、Ｐ  パーティングライン（係合部）
【図１】
2020164169.tif 000003
【図２】
2020164169.tif 000004
【図３】
2020164169.tif 000005
【図４】
2020164169.tif 000006
【図５】
2020164169.tif 000007
【図６】
2020164169.tif 000008
【図７】
2020164169.tif 000009
【図８】
2020164169.tif 000010
【図９】
2020164169.tif 000011
【図１０】
2020164169.tif 000012
【図１１】
2020164169.tif 000013
【図１２】
2020164169.tif 000014
【図１３】
2020164169.tif 000015
【図１４】
2020164169.tif 000016